(57)【要約】      （修正有）【課題】放尿中であってもターゲットマークが視認しやすいターゲット位置の指示機能を備えた便器装置を提供する。【解決手段】ターゲット位置の指示機能を備えた小便器１は、小便を受けるボウル面２を備えたボウル部と、ボウル面２上に光を投射することにより、使用者が小便を当てるべきターゲット位置を示すターゲットマークＴをボウル面２上に表示する光照射装置と、を有し、光照射装置は尿の色とは異なる色に対応する波長の光を投射する。【選択図】図２
2020045703.tif 000002
【特許請求の範囲】
【請求項１】
ターゲット位置の指示機能を備えた便器装置であって、
小便を受けるボウル面を備えたボウル部と、
前記ボウル面上に光を投射することにより、使用者が小便を当てるべきターゲット位置を示すターゲットマークを前記ボウル面上に表示する光照射部と、を有し、
前記光照射部は尿の色とは異なる色に対応する波長の光を投射する、ことを特徴とする便器装置。
【請求項２】
前記光照射部は、青色に対応する波長の光を投射する、請求項１に記載の便器装置。
【請求項３】
前記光照射部は、前記ボウル面上に光を投射する光源として発光ダイオードを有する、請求項１又は２に記載の便器装置。
【請求項４】
前記光照射部は、前記ターゲットマークが前記ボウル面の前記光の投射方向に対して傾斜するような傾斜した部分に略円形に表示されるように、楕円形状に光を照射する、請求項１〜３の何れか１項に記載の便器装置。
【発明の詳細な説明】
【技術分野】
【０００１】
本発明は、小便器に関し、特に、ターゲット位置の指示機能を備えた便器装置に関する。
【背景技術】
【０００２】
放尿する際、使用者が尿を当てるべき位置を示すターゲットマークが付された小便器が知られている。このターゲットマークは、これに当たるように使用者が放尿すると、放出された尿の小便器外への飛散を抑制することができ、小便器や、その近辺の床面を清潔に維持するために有用である。ところが、陶器製の小便器に使用する釉薬によっては、ターゲットマークを綺麗に付すことができないものもある。
【０００３】
一方、特開２００２−２７６０１０号公報（特許文献１）には便器装置（小便器）が記載されており、この小便器では、使用者が小便を当てるべき位置を、ボウル面にレーザ光を照射することにより指示している。この便器装置では、レーザ光の照射器が小便器正面の床面に埋め込まれており、人感センサが小便器への人の接近を検知すると、裏面に照射器が取り付けられた昇降板がポップアップして、小便器のボウル面の所定位置に向けてレーザ光を照射するように構成されている。
【先行技術文献】
【特許文献】
【０００４】
【特許文献１】特開２００２−２７６０１０号公報
【発明の概要】
【発明が解決しようとする課題】
【０００５】
しかしながら、特許文献１に記載された発明では、使用者がターゲットマークに向かって放尿している時には、レーザ光は尿を通ってボウル面に照射される。このように、放尿中には、ターゲットマークが使用者の尿に干渉するため、ターゲットマークを視認することが困難になるという問題があった。
【０００６】
本発明は、上記の問題に鑑みなされたものであり、放尿中であってもターゲットマークが視認しやすいターゲット位置の指示機能を備えた便器装置を提供することを目的とする。
【課題を解決するための手段】
【０００７】
本発明の便器装置は、ターゲット位置の指示機能を備えた便器装置であって、小便を受けるボウル面を備えたボウル部と、ボウル面上に光を投射することにより、使用者が小便を当てるべきターゲット位置を示すターゲットマークをボウル面上に表示する光照射部と、を有し、光照射部は尿の色とは異なる色に対応する波長の光を投射する、ことを特徴とする。
【０００８】
上記構成の本発明によれば、光照射部は尿の色とは異なる色に対応する波長の光を投射するため、ターゲットマークが使用者の尿により覆われたとしても、ターゲットマークを視認することが可能である。
【０００９】
また、本発明において、好ましくは、光照射部は、青色に対応する波長の光を投射する。
健常者の尿の色は黄色、橙色、又は赤色である。上記構成の本発明によれば、光照射部が照射する光の色が、尿の色に対して補色の関係となるため、ターゲットマークが使用者の尿により覆われても容易に視認することができる。また、便器には茶色やピンク色の汚れが付着することがあるが、このような場合であっても、ターゲットマークを視認することができる。
【００１０】
また、本発明において好ましくは、光照射部は、ボウル面上に光を投射する光源として発光ダイオードを有する。
発光ダイオードによる光はレーザ光に比べて反射しにくいため、上記構成の本発明によれば、ターゲットマークを視認しやすい。また、発光ダイオードによる光はレーザ光に比べて指向性が低いものの、尿の色と異なる色の光であるため、ボウル面に当たる尿の上から照射したとしてもターゲットマークを容易に視認することができる。
【００１１】
また、本発明において好ましくはターゲットマークが前記ボウル面の光の投射方向に対して傾斜するような傾斜した部分に略円形に表示されるように、楕円形状に光を照射する。
上記構成の本発明によれば、傾斜面に照射した状態においてターゲットマークが略円形に表示されるため、使用者に視認しやすい。
【発明の効果】
【００１２】
本発明によれば、放尿中であってもターゲットマークが視認しやすいターゲット位置の指示機能を備えた便器装置を提供することができる。
【図面の簡単な説明】
【００１３】
【図１】本発明の第１実施形態による小便器全体を示す斜視図である。
【図２】本発明の第１実施形態による小便器の全断面図である。
【図３】本発明の第１実施形態による小便器に取り付けられているスプレッダーの拡大断面図である。
【図４】本発明の第１実施形態による小便器に取り付けられているスプレッダーの斜視図である。
【図５】尿の色を説明するための体内における不純物の処理の流れを説明するための図である。
【図６】各色の波長と補色関係にある色を示す表である。
【図７】発光ダイオードが照射する光のスペクトルの一例を示すグラフである。
【図８】本発明の第２実施形態の便器装置に備えられているスプレッダーの断面図である。
【図９】シール又は焼き付けにより便器にターゲットマークを付した場合と第１及び第２実施形態のように光によりターゲットマークを付した場合を比較する図である。
【発明を実施するための形態】
【００１４】
次に、添付図面を参照して、本発明の好ましい実施形態を説明する。
まず、図１乃至図３を参照して、本発明の第１実施形態による小便器を説明する。図１は本実施形態による小便器全体を示す斜視図であり、図２は本実施形態による小便器の全断面図である。なお、本明細書において、小便器の「背面側」とは、小便器の、壁面に当接する側を意味し、小便器の「正面側」とは、小便器の、小便を受ける側（「背面側」の反対側）を意味する。また、小便器の「左右方向」とは、小便器が設置される壁面と平行で、水平な方向を意味する。さらに、小便器の「正面視」とは、小便器を正面側から、小便器が設置される壁面と直交する方向に見ることを意味する。また、本実施形態では、小便器を例として本発明を説明するが、本発明は、これに限らず、大便器にも適用可能である。
【００１５】
図１及び図２に示すように、本発明の第１実施形態の小便器１は、壁面Ｗに取り付けて使用する壁掛け形の小便器であり、その底面は床面よりも上方に位置している。なお、本実施形態においては、小便器１は陶器製である。小便器１は、全体として、壁面Ｗに当接する背面から前端部にかけて幅が狭くなる形状に構成され、その内側には小便を受けるボウル面２が形成されたボウル部を有し、ボウル面２の左右方向中央の上部には吐水装置であるスプレッダー１０が取り付けられている。小便器１は、使用者の小用後、スプレッダー１０から吐出される洗浄水により、ボウル面２が洗浄されるように構成されている。
【００１６】
ボウル面２は、壁面Ｗと概ね平行に延びる正面部２ａと、この正面部２ａの両側から、小便器１の前端部に向けて延びる側面部２ｂから構成されている。
図２に示すように、両側の側面部２ｂは、上端から下方に向けて幅が広くなる概ね三角形状に形成されていると共に、各側面部２ｂの上方は開放されており、ボウル面２には「天井面」に相当する部分がない。また、正面部２ａは、その上部２ａ１は概ね平面状に構成され、下部２ａ２は前端部側（使用者が立つ側）にせり出すように湾曲して傾斜するように形成されている。さらに、ボウル面２は、その正面部２ａが両側の各側面部２ｂと滑らかに連なるように形成されている。
【００１７】
また、各側面部２ｂの内側には導水棚２ｃが夫々設けられており、これらの導水棚２ｃは小便器１の後部側から前端部側にかけて斜めに下降するように形成されている。これらの導水棚２ｃは各側面部２ｂの内側に形成された段状の部分である。スプレッダー１０から吐出された洗浄水の一部は、各導水棚２ｃに載せられて導かれて小便器１の前端部側に回り込み、ボウル面２の前端部側を洗浄して排水口４（図２）から排出されるようになっている。
【００１８】
図２に示すように、ボウル面２の底部には、ボウル面２が受けた小便及び洗浄水を小便器１外に排出する、概ね円形の排水口４が設けられている。さらに、小便器１には、排水口４と連通するように下方に向けて延びる下降管６ａと、この下降管６ａの下端から折り返して上方に向けて延びる上昇管６ｂと、この上昇管の上端から壁面Ｗに向けて水平に延びる排出管６ｃが設けられている。この排出管６ｃは排水配管（図示せず）に接続されており、排水配管は、壁面Ｗの中を通って壁面Ｗから突出するように設けられている。また、使用時においては、下降管６ａ及び上昇管６ｂの内部には洗浄水が貯留され、下降管６ａ及び上昇管６ｂは貯留された封水により排水口４と排水配管（図示せず）を絶縁するトラップ管路として機能する。
【００１９】
さらに、排水口４を覆うように、概ね円盤状の目皿８が配置されている。この目皿８には、複数の開口部（図示せず）が設けられ、これらの開口部を介してボウル面２が受けた小便及び洗浄水を排水口４に流出させるようになっている。
【００２０】
次に、図３及び図４を参照して、スプレッダー１０の構成を詳細に説明する。図３は本実施形態による小便器に取り付けられているスプレッダー１０の拡大断面図であり、図４は斜視図である。
図３に示すように、スプレッダー１０は、ボウル面２の正面部２ａの左右方向中央に取り付けられており、ボウル面２の正面部２ａのスプレッダー１０が取り付けられている部分の表面が、スプレッダー１０の取付面となる。なお、本実施形態においては、ボウル面２のスプレッダー１０が取り付けられている部分（取付面）は、概ね鉛直に向けられた平面である。スプレッダー１０は、概ね円柱状の本体部１０ａと、この本体部１０ａからボウル面２の正面部２ａの裏側へ延びる洗浄水供給部１０ｂと、を有する。また、スプレッダー１０には光照射装置（光照射部）１２が備えられており、この光照射装置１２は、スプレッダー１０の本体部１０ａに内蔵されている。光照射装置１２は、ボウル面２の正面部２ａ上に光を投射することにより、ボウル面２上に輝点Ｔを形成し、使用者が小便を当てるべきターゲット位置を指示するように構成されている。
【００２１】
図３に示すように、スプレッダー１０の洗浄水供給部１０ｂには、水道１６から電磁弁１６ａを介して洗浄水が供給される。この電磁弁１６ａは、制御部１８の制御信号に基づいて、所定のタイミングで開閉される。また、制御部１８は、スプレッダー１０の光照射装置１２に電流を供給するように構成され、所定のタイミングで所定のパターンの光を射出させる。なお、制御部１８は、マイクロプロセッサ、メモリ、インターフェイス回路、及びこれらを作動させるプログラム等（以上、図示せず）により構成することができる。
【００２２】
図４に示すように、ボウル面２の裏側には、人体検知センサであるマイクロ波センサ２０が配置されている。このマイクロ波センサ２０は、ボウル面２の裏側で、ブラケット２０ａを介してスプレッダー１０に取り付けられている。マイクロ波センサ２０は、小便器１の正面視において、スプレッダー１０の本体部１０ａの右側側方、且つ下方に位置決めされ、斜め下方に向けてマイクロ波を発信するように向けられている。マイクロ波センサ２０は、背面側からボウル面２を透過させるようにマイクロ波を照射し、小便器１の正面側への使用者の接近を検知するように構成されている。また、後述するように、制御部１８は、マイクロ波センサ２０の検知信号に基づいて、電磁弁１６ａ（図３）の開閉、及び光照射装置１２による光の照射を制御するように構成されている。
【００２３】
このように、マイクロ波センサ２０をスプレッダー１０の本体部１０ａの側方、且つ下方に配置することにより、スプレッダー１０を構成する金属部品等によりマイクロ波が遮られることなく、ボウル面２を透過させることができる。また、マイクロ波は陶器製のボウル面２を透過するため、ボウル面２の背面側に配置することができる。このため、ボウル面２の正面側に人体検知センサを配置する必要が無く、光照射装置１２を組み込んだスプレッダー１０に、更に人体検知センサを組み込んだり、スプレッダー１０とは別に、ボウル面２の正面側に人体検知センサを設ける必要が無く、小便器１のデザインの自由度を広げることができる。
【００２４】
図３に示すように、スプレッダー１０の本体部１０ａには、洗浄水を吐出する吐水部１４が収容されており、洗浄水は、この吐水部１４の吐水口１４ａから下方に向けて吐出される。
これら吐水部１４及び光照射装置１２は、スプレッダー１０の本体部１０ａの中に、小便器１の正面視において重なる位置に位置決めされていると共に、スプレッダー１０の取付面から異なる高さの位置に位置決めされている。これにより、吐水部１４及び光照射装置１２を、スプレッダー１０の内部にコンパクトに配置することができる。また、吐水部１４と光照射装置１２を、スプレッダー１０の取付面から異なる高さの位置に配置することにより、吐水部１４の正面位置を避けて光照射装置１２を配置する必要が無く、ボウル面２の中央に光照射装置１２を配置することができる。このため、光照射装置１２は、ボウル面２の適正な位置に向けてまっすぐに光を照射することができ、ボウル面２上に左右対称な綺麗な輝点Ｔを容易に形成することができる。本実施形態においては、吐水部１４の吐水口１４ａがスプレッダー１０の取付面近傍に配置され、光照射装置１２が吐水部１４の上に（吐水部１４よりも取付面から離間した位置に）配置されている。
【００２５】
洗浄水供給部１０ｂは、ボウル面２の正面部２ａを貫通して延びる管状の部分であり、洗浄水の給水源（図示せず）に接続される。吐水部１４は、洗浄水供給部１０ｂと連通するように構成されており、洗浄水供給部１０ｂを介して水平方向に供給された洗浄水を、下方に向けて吐水口１４ａから吐出するように構成されている。吐水口１４ａは、スプレッダー１０の取付面に沿って延びる薄型の開口であり、下方に向けて扇形に広がるように構成されている。これにより、図１の矢印Ｆに示すように、スプレッダー１０から吐出される洗浄水は、ボウル面２の正面部２ａに沿って下方に広がるように流れ、その一部は、ボウル面２の側面部２ｂに設けられた導水棚２ｃに載せられ、小便器１の前端部まで導かれる。
【００２６】
光照射装置１２は、光源である発光ダイオード（ＬＥＤ）１２ａと、この発光ダイオード１２ａから発せられた光を所定の広がり角度で射出させる光射出部であるレンズ１２ｂと、透過プレート１２ｃと、を有する。
【００２７】
発光ダイオード１２ａは、制御部１８から供給される電流により、所定のパターンで発光するように構成されている。また、本実施形態においては、発光ダイオード１２ａは、尿の色とは異なる色に対応する波長の光を照射する。
【００２８】
以下、発光ダイオード１２ａが照射する光について説明する。まず、尿の色について説明する。図５は、尿の色を説明するための体内における不純物の処理の流れを説明するための図である。同図に示すように、健常者の血液中の赤血球（ヘモグロビン）は古くなると脾臓及び肝臓により分解される。ヘモグロビンは脾臓において分解され、ビリルビンになり、肝臓において胆汁中に排出される。そして、ビリルビンを含む胆汁は十二指腸に放出され、結腸の細菌によって加水分解され無色のウロビリノーゲンになる。消化管中のウロビリノーゲンの一部は再吸収され血液中に入るが、大部分は代謝され色素ステルコビリンになる。健常者の大便の色はステルコビリンによるものである。また、再吸収され血液中に入ったウロビリノーゲンの一部は尿として排出される。尿に排出されたウロビリノーゲンが尿を黄色、橙色、又は赤色にする。
【００２９】
図６は、各色の波長と補色関係にある色を示す表である。なお、図中中央欄は左欄の色に対応する光の波長であり、右欄は補色関係にある色を示す。図６に示すように、健常者の尿は概ね黄色から赤色を呈する。そして、発光ダイオードの光の色は尿の色に対して補色関係となる青色から青緑色、より好ましくは青又は緑青色、さらに好ましくは、青色になるように設定されている。図７は、発光ダイオードが照射する光のスペクトルの一例を示すグラフである。図７に示すように発光ダイオードから照射される光のスペクトルは波長に幅を有しており、最大強度となる波長が４３０〜５００ｎｍとなっている。
【００３０】
透過プレート１２ｃには、左右方向に長尺な略楕円形状の第１のスリット（開口）と、この第１のスリットを取り囲み、同心に略楕円形環状のスリットが形成されており、発光ダイオード１２ａにより照射された光は、透過プレート１２ｃのスリットを通り、後述するようにボウル面２に円部及び円環部からなるターゲットマークが投影されるように照射される。
【００３１】
また、レンズ１２ｂは、光照射装置１２の下端から射出される光が、下方に向けて、所定の光軸（投射方向）Ａを中心に僅かな広がり角をもって射出されるように構成され、配置されている。この光照射装置１２のレンズ１２ｂから射出された光はボウル面２上の下部２ａ２に当たり、ボウル面２上にターゲットマークとして輝点を形成する。この輝点の位置が、小便を当てるべきターゲット位置として使用者に指示される。
【００３２】
なお、本実施形態においては、光照射装置１２のレンズ１２ｂから射出される光の光軸（投射方向）Ａは、スプレッダー１０を取り付ける取付面に対し、所定の傾斜角度αだけ小便器１の前端部側に傾斜するように向けられている。そして、ボウル面２上の下部２ａ２は前端部側（使用者が立つ側）にせり出すように湾曲して傾斜している。このため、図２に示すように、光の投射方向Ａに対してボウル面２の下部２ａ２が傾斜した状態で照射された光がボウル面２に当たり、傾斜したボウル面２上に略円形の適切な大きさの輝点（ターゲットマーク）Ｔを形成することができる。例えば、光軸Ａとボウル面２がほぼ平行な状態で、光がボウル面２に入射すると、形成される輝点Ｔが拡大し過ぎてターゲット位置を指示することができなくなる。なお、ここでいう光の投射方向Ａに対して傾斜しているとは、ボウル面２の光が投射される部分の表面が、光の投射方向Ａに対して垂直以外の角度になっていることをいう。
【００３３】
なお、本明細書においては、取付面（ボウル面２の正面部２ａのスプレッダー１０を取り付ける部分）が曲面である場合には、スプレッダー１０の中心点における取付面の鉛直方向の接線と光軸Ａの為す角度を、光軸Ａの「傾斜角度」とする。この傾斜角度αは、光照射装置１２の取り付け位置、ボウル面２の形状、指示すべきターゲット位置に応じて適宜設定することができる。また、本実施形態においては、光源として使用されている発光ダイオードは、通常の可視光を発するものであり、レーザーダイオードではない。このため、光照射装置１２からの射出光がボウル面２において乱反射して使用者の目に入るおそれがあるが、このような場合でも危険が少なく、適度に広がる光束を射出することができると共に、低コストで光照射装置１２を構成することができる。
【００３４】
次に、本発明の第１実施形態による小便器１の作用を説明する。
小便器１に備えられているマイクロ波センサ２０は、所定の時間間隔でマイクロ波を発信／受信するように構成されており、受信されたマイクロ波に基づいて、使用者の小便器１への接近を検知する。使用者の接近が検知されると、制御部１８は、スプレッダー１０に内蔵された光照射装置１２に電流を供給し、発光ダイオード１２ａを発光させる。図２に示すように、光照射装置１２から投射された光はボウル面２に当たり、ボウル面２の正面部２ａの下部２ａ２に所定の大きさの略円形の輝点Ｔを形成する。使用者は、ボウル面２上に形成された輝点Ｔをターゲットマークとして、この位置に小便が当たるように放尿することで、小便の小便器１外への飛び散りが抑制される。また、本実施形態においては、制御部１８は、光照射装置１２から投射される光を所定の時間間隔で点滅させる。これにより、ボウル面２上に形成された輝点Ｔは、より使用者に認識されやすくなり、使用者が指示されたターゲットマークに向けた放尿を行う確率が高くなる。
【００３５】
使用者が小用を終えた後、小便器１から離れると、マイクロ波センサ２０は、これを検知し、制御部１８に信号を送る。制御部１８は、使用者が小便器１から離れたことが検知されると、光照射装置１２に信号を送って、これを消灯させると共に、電磁弁１６ａに信号を送り、電磁弁１６ａを所定期間開弁させる。電磁弁１６ａが開弁されると、スプレッダー１０の洗浄水供給部１０ｂから流入した洗浄水が、吐水部１４の吐水口１４ａを介して吐出される。吐水口１４ａから吐出された洗浄水は、ボウル面２の正面部２ａに沿って下方に向けて扇形に広がり、ボウル面２の正面部２ａ及び側面部２ｂが洗浄される。吐出された洗浄水の一部は、側面部２ｂに形成された導水棚２ｃに導かれることにより、小便器の前端部側に回り込み、両側の側面部２ｂがくまなく洗浄される。ボウル面２が受けた小便及びスプレッダー１０から吐出された洗浄水は、ボウル面２底部の排水口４から、下降管６ａ、上昇管６ｂ、排出管６ｃを通って排出される。
【００３６】
また、小便器１に故障がある場合には、制御部１８は、ターゲットマークを形成する場合とは異なる色で、光照射装置１２を発光させてもよい。このように、光照射装置１２を通常とは異なる射出形態で発光させることにより、小便器１の故障等、小便を当てるべきターゲット位置以外の情報の報知を行うことができる。また、本実施形態においては、光照射装置１２を発光させる色を変更しているが、発光の点滅間隔を変更する等、発光パターンを変更することにより、ターゲット位置以外の情報の報知を行うことができる。
【００３７】
次に、図９を参照して、本発明の第２実施形態の小便器を説明する。
本実施形態の小便器は、スプレッダーに噴霧装置が内蔵されている点が、上述した第１実施形態とは異なる。従って、ここでは、本発明の第２実施形態の、第１実施形態とは異なる点のみを説明し、同様の構成、作用、効果については説明を省略する。
【００３８】
図８は、本発明の第２実施形態の便器装置に備えられているスプレッダーの断面図である。
図８に示すように、スプレッダー１１０は、ボウル面の正面部２ａに取り付けられている。スプレッダー１１０は、概ね円柱状の本体部１１０ａと、この本体部１１０ａからボウル面の正面部２ａの裏側へ延びる洗浄水供給部１１０ｂと、を有する。また、スプレッダー１１０の本体部１１０ａには光照射装置１１２が内蔵されている。この光照射装置１１２は、発光ダイオード１１２ａから射出された光を、透過プレート１１２ｃを透過させ、光射出部であるレンズ１１２ｂを介してボウル面の正面部２ａ上に光を投射することにより、ボウル面上に輝点を形成し、使用者が小便を当てるべきターゲット位置を指示するように構成されている。なお、透過プレート１１２ｃの構成は第１実施形態の透過プレート１２ｃと同様である。
【００３９】
さらに、図８に示すように、スプレッダー１１０の本体部１１０ａには、洗浄水を吐出する吐水部１１４、及び洗浄水を噴霧する噴霧部１１５が収容されている。吐水部１１４は第１実施形態と同様に、吐水口１１４ａから洗浄水を下方に向けて吐出するように構成されている。また、噴霧部１１５は、下方に位置する目皿８（図２）に向けて、洗浄水を液滴状にして噴霧するように構成されている。
【００４０】
これら吐水部１１４、噴霧部１１５及び光照射装置１１２は、スプレッダー１１０の本体部１１０ａの中に、小便器の正面視において重なる位置に配置されていると共に、スプレッダー１１０の取付面から異なる高さの位置に位置決めされている。本実施形態においては、吐水部１１４の吐水口１１４ａがスプレッダー１１０の取付面近傍に配置され、噴霧部１１５の噴霧口１１５ａが吐水部１１４の上に（吐水部１１４よりも取付面から離間した位置に）重ねて配置され、光照射装置１１２が噴霧部１１５の上に重ねて配置されている。即ち、取付面から順に、吐水口１１４ａ、噴霧口１１５ａ、及び光照射装置１１２の光射出部（レンズ１１２ｂ）が直列に並べて配置されており、これらは小便器の正面視において、目皿８（図２）の鉛直上方に位置している。
【００４１】
噴霧部１１５は、微小なノズル口である噴霧口１１５ａと、この噴霧口１１５ａに洗浄水を供給する洗浄水供給管１１５ｂと、を有する。噴霧口１１５ａは、直径約０．５〜約０．８ｍｍ程度の、下方に向けてテーパ状に広がったノズル穴であり、ノズル穴下端の出口側では約２．７〜約３．０ｍｍ程度の直径となっている。この噴霧口１１５ａから洗浄水を噴射することにより、洗浄水は液滴状となって下方に噴霧され、噴霧口１１５ａの下方に位置する目皿８（図２）が直接的に洗浄される。
【００４２】
スプレッダー１１０の洗浄水供給部１１０ｂ及び洗浄水供給管１１５ｂには、水道から流路切替弁、電磁弁（以上、図示せず）を介して洗浄水が供給される。これらの流路切替弁、電磁弁は、制御部（図示せず）の制御信号に基づいて、所定のタイミングで切り替え／開閉される。また、制御部は、スプレッダー１１０の光照射装置１１２に電流を供給するように構成され、所定のタイミングで所定のパターンの光を射出させる。なお、制御部は、マイクロプロセッサ、メモリ、インターフェイス回路、及びこれらを作動させるプログラム等（以上、図示せず）により構成することができる。
【００４３】
また、ボウル面の裏側には、第１実施形態と同様に、人体検知センサであるマイクロ波センサ（図示せず）が配置されている。マイクロ波センサは、背面側からボウル面を透過させるようにマイクロ波を照射し、小便器の正面側への使用者の接近を検知し、その検知信号に基づいて、流路切替弁、電磁弁（以上、図示せず）の切り替え、開閉、及び光照射装置１１２による光の照射を制御するように構成されている。
【００４４】
本発明の第２実施形態の小便器によれば、噴霧口１１５ａ、吐水口１１４ａ、及び光射出部（レンズ１１２ｂ）が、正面視において重なる位置に、取付面に対して互いに異なる高さに位置決めされているので、スプレッダー１１０内に噴霧部１１５及び光照射装置１１２をコンパクトに収容することが可能であると共に、噴霧口１１５ａを、正面視において目皿８（図２）の鉛直上方に配置することができるので、効率良く目皿８を洗浄することができる。
【００４５】
図９は、シール又は焼き付けにより便器にターゲットマークを付した場合と上記の各実施形態のように光によりターゲットマークを付した場合を比較する図である。図９において上欄はシール又は焼き付けにより便器にターゲットマークを付した場合を示し、下欄は光によりターゲットマークを付した場合を示す。また、左欄は尿の当たる位置ＣがターゲットマークＴの中央である場合を示し、中央欄は尿の当たる位置ＣがターゲットマークＴの上方である場合を示し、右欄は尿の当たる位置ＣがターゲットマークＴの下方である場合を示す。なお、同図ではターゲットマークの形状が略円形の場合を例としている。
【００４６】
図１０に示すように、シール又は焼き付けにより便器にターゲットマークＴ´を付した場合には、ターゲットマークが尿Ｕにより覆われても、ターゲットマークＴ´の視認性に影響を及ぼすことはない。これに対して、光により便器にターゲットマークＴを付した場合には、尿ＵがターゲットマークＴの下方に当たる場合には、ターゲットマークＴの視認性に影響を及びことはない。これに対して、尿ＵがターゲットマークＴの中央又は上方に当たる場合には、尿と発光ダイオードから照射される光とが干渉してしまい、ターゲットマークがゆらいでしまう。このような場合には、尿により光が遮られてしまい、部分Ｂに投射される光の強度が低下してしまう。これに対して、上記の各実施形態によれば、発光ダイオードから照射される光が、尿の色と補色の関係にある青色であるため、部分Ｂに投射される光の強度が低下してしまっても、視認性の低下を抑止することができる。
【００４７】
上記の各実施形態によれば、以下の効果が奏される。
上記実施形態では、光照射装置１２は尿の色とは異なる色に対応する波長の光を投射するため、ターゲットマークＴが使用者の尿により覆われたとしても、ターゲットマークＴを視認することが可能である。
【００４８】
また、上記実施形態では、光照射装置１２は青色に対応する波長の光を投射している。上述の通り、健常者の尿の色は黄色、橙色、又は赤色である。これに対して、上記実施形態によれば、光照射装置１２が照射する光の色が、尿の色に対して補色の関係となるため、ターゲットマークＴが使用者の尿により覆われても容易に視認することができる。また、便器には茶色やピンク色の汚れが付着することがあるが、このような場合であっても、ターゲットマークＴを視認することができる。
【００４９】
また、上記実施形態では、光照射装置１２は、光源として発光ダイオード１２ａを有する。発光ダイオードによる光はレーザ光に比べて反射しにくいため、上記実施形態によれば、発光ダイオード１２ａからの光がボウル面２に当たって乱反射したとしてもターゲットマークを視認しやすい。また、発光ダイオード１２ａによる光はレーザ光に比べて指向性が低いものの、尿の色と異なる色の光であるため、ボウル面に当たる尿の上から照射したとしてもターゲットマークを容易に視認することができる。
【００５０】
また、光照射装置１２から光が投射されるボウル面２の下部２ａ２は、光の投射方向に対して傾斜しており、光照射装置１２から投射された光はボウル面２の下部２ａ２に垂直方向ではなく斜めから照射される。このため、光照射装置から照射される光が円形であると、ボウル面には楕円形状に投影される。これに対して、上記実施形態では、光照射装置１２は、光の投射方向に対して傾斜するようなボウル面２の下部２ａ２の傾斜面に、ターゲットマークＴが略円形（照射する楕円形状よりも真円に近い形状）に表示されるように、楕円形状のターゲットマークＴを照射する。このため、上記実施形態によれば、ボウル面２の下部２ａ２の傾斜面に照射した状態においてターゲットマークが略円形に表示されるため、使用者に視認しやすい。
【符号の説明】
【００５１】
１        小便器
２        ボウル面
２ａ      正面部
２ａ１    上部
２ａ２    下部
２ｂ      側面部
２ｃ      導水棚
４        排水口
６ａ      下降管
６ｂ      上昇管
６ｃ      排出管
８        目皿
１０      スプレッダー
１０ａ    本体部
１０ｂ    洗浄水供給部
１２      光照射装置
１２ａ    発光ダイオード
１２ｂ    レンズ
１２ｃ    透過プレート
１４      吐水部
１４ａ    吐水口
１６      水道
１６ａ    電磁弁
１８      制御部
２０      マイクロ波センサ
２０ａ    ブラケット
１１０    スプレッダー
１１０ａ  本体部
１１０ｂ  洗浄水供給部
１１２    光照射装置
１１２ａ  発光ダイオード
１１２ｂ  レンズ
１１２ｃ  透過プレート
１１４    吐水部
１１４ａ  吐水口
１１５    噴霧部
１１５ａ  噴霧口
１１５ｂ  洗浄水供給管
Ａ        光軸（投射方向）
Ｆ        矢印
Ｔ        ターゲットマーク（輝点）
Ｗ        壁面
【図１】
2020045703.tif 000003
【図２】
2020045703.tif 000004
【図３】
2020045703.tif 000005
【図４】
2020045703.tif 000006
【図５】
2020045703.tif 000007
【図６】
2020045703.tif 000008
【図７】
2020045703.tif 000009
【図８】
2020045703.tif 000010
【図９】
2020045703.tif 000011